(57)【要約】      （修正有）【課題】商品やサービスの購入リピート率を向上させることができる卓上カレンダーを提供する。【解決手段】卓上カレンダー１０は、ひと月分の日が一覧で表示される複数の月カレンダー１２と、複数の月カレンダーを収納可能な収納部１８を有する本体部１４と、本体部に回動支持部材２４を介して連結され本体部の開口を開閉可能な蓋部であり、開かれたときに本体部を起立させるための底面部となる蓋部１６と、を備え、収納部１８は、複数の月カレンダー１２とともに収納され販売促進を目的とするチケット３６を本体部の下部最前面に収納可能である形状を有する。【選択図】図１
0003200324.tif 000002
【実用新案登録請求の範囲】
【請求項１】
ひと月分の日が一覧で表示される複数の月カレンダーと、
前記複数の月カレンダーを収納可能な収納部を有する本体部と、
前記本体部に回動支持部を介して連結されて前記本体部の開口を開閉可能な蓋部であり、開かれたときに前記本体部を起立させるための底面部となる蓋部と、
を備え、
前記収納部は、前記複数の月カレンダーとともに収納され販売促進を目的とするチケットを前記本体部の下部の最前面に収納可能である形状を有することを特徴とする卓上カレンダー。
【請求項２】
請求項１に記載の卓上カレンダーにおいて、
前記複数の月カレンダーは、前記収納部に収納された際に前記収納部に対応する位置に販売促進を目的とする広告が印刷されていることを特徴とする卓上カレンダー。
【考案の詳細な説明】
【技術分野】
【０００１】
本考案は、卓上カレンダーに関する。
【背景技術】
【０００２】
従来、美容室や飲食店等の店舗または様々な業種の企業において、お客様に対し、自社オリジナルの卓上カレンダーを配布することがなされている。
【０００３】
本発明に関連する技術として、例えば、特許文献１には、卓上に立てて設置することが可能であり、各月ごとに装飾されたイラストと日付を有するカレンダー用紙を同時に２か月分表示することができるようにした卓上カレンダーが開示されている。
【先行技術文献】
【特許文献】
【０００４】
【特許文献１】特開２０１４−２２１５３４号公報
【考案の概要】
【考案が解決しようとする課題】
【０００５】
そもそも、上述した自社オリジナルの卓上カレンダーを配布する目的としては、お客様に商品やサービスの購入をリピートしてもらうことであるが、従来の卓上カレンダーは、単にその企業名等や連絡先を記載したものに過ぎず、リピート率の向上にあまり貢献していない。
【０００６】
本発明の目的は、リピート率を向上させることを可能とする卓上カレンダーを提供することである。
【課題を解決するための手段】
【０００７】
本考案に係る卓上カレンダーは、ひと月分の日が一覧で表示される複数の月カレンダーと、前記複数の月カレンダーを収納可能な収納部を有する本体部と、前記本体部に回動支持部を介して連結されて前記本体部の開口を開閉可能な蓋部であり、開かれたときに前記本体部を起立させるための底面部となる蓋部と、を備え、前記収納部は、前記複数の月カレンダーとともに収納され販売促進を目的とするチケットを前記本体部の下部の最前面に収納可能である形状を有することを特徴とする。
【０００８】
また、本考案に係る卓上カレンダーにおいて、前記複数の月カレンダーは、前記収納部に収納された際に前記収納部に対応する位置に販売促進を目的とする広告が印刷されていることが好ましい。
【考案の効果】
【０００９】
本考案によれば、複数の月カレンダーとともに収納され販売促進を目的とするチケットを本体部の下部の最前面に収納することができる。このように目立つ部分に販促用のチケットを配置することによって、チケットの利用を促し、これによってリピート率を向上させることができる。
【図面の簡単な説明】
【００１０】
【図１】本考案に係る実施形態の卓上カレンダーの斜視図である。
【図２】本考案に係る実施形態の卓上カレンダーにおいて、チケットを本体部に収納して蓋部を閉じた様子を示す図である。
【考案を実施するための形態】
【００１１】
以下に、本考案に係る実施の形態について添付図面を参照しながら詳細に説明する。  以下では、全ての図面において同様の要素には同一の符号を付し、重複する説明を省略する。また、本文中の説明においては、必要に応じそれ以前に述べた符号を用いるものとする。
【００１２】
図１は、卓上カレンダー１０の斜視図である。卓上カレンダー１０は、複数の月カレンダー１２と、本体部１４と、蓋部１６とを備える。
【００１３】
複数の月カレンダー１２は、それぞれ、ひと月分の日が一覧で表示される一枚もののカレンダーである。複数の月カレンダー１２は、１月〜１２月にそれぞれ対応しており、１２か月間の各月におけるそれぞれの日付、曜日、六曜等の情報が記載されている。
【００１４】
複数の月カレンダー１２は、本体部１４の収納部１８に収納された際に収納部１８に対応する位置に販売促進のために印刷された広告を有している。広告のフォーマットは、様々なものがあるが、その一例として、「店名、問い合わせ先、広告のタイトル、広告の本文」といった内容を記載することが好ましい。具体的に、広告として、図１に示されるように、該当月に行われるイベント、例えば、２０１６年１月１７日に、お客様のためのイベントを開催する予定があれば、その内容が記載されることが好適である。
【００１５】
本体部１４は、複数の月カレンダー１２を収納可能な収納部１８を有する。本体部１４は、複数の月カレンダー１２が載置される載置面２０と、載置面２０の両端において中央から下部に向けて載置面２０に垂直に配置される耳部２２とを備えている。耳部２２の下部には、本体部１４と蓋部１６とを連結する回動支持部材２４が取り付けられている。
【００１６】
収納部１８は、載置面２０の両端に設けられる２つの耳部２２の手前側のうち２つの耳部２２に跨って設けられる平板部２６と、載置面２０と耳部２２と平板部２６とに連結され底面に配置される底面部２８とを有する。収納部１８と耳部２２と載置面２０とによって区画される開口である空間領域２９が複数の月カレンダー１２を配置するための収納空間として機能する。
【００１７】
蓋部１６は、本体部１４に回動支持部材２４を介して連結されて本体部１４の開口を開閉可能な部材である。蓋部１６は、開かれたときに本体部１４を起立させるための底面部材としても機能する。蓋部１６は、回動支持部材２４を回動軸として、矢印Ａ方向または反対方向に回動し、空間領域２９を開閉することができる。
【００１８】
蓋部１６は、載置面２０に対応する表面３０と、表面３０に垂直であり耳部２２に擦動可能な側面３２と、表面３０の上部において表面３０に垂直に設けられる上面３４とを備える。載置面２０の下部には、平板部２６に対応した切り欠きが形成されている。
【００１９】
チケット３６は、複数の月カレンダー１２とともに収納され販売促進を目的とする紙チケットである。チケット３６は、例えば、金券として使用することが出来、一例として、図１に示されるように、「会社名、お客様限定、金額」などの文言が記載された金券とすることができる。チケット３６は、図１に示されるように矢印Ｂに移動させて、本体部１４の下部の最前面に収納することが好ましい。
【００２０】
続いて、上記卓上カレンダー１０の作用について説明する。図２は、卓上カレンダー１０において、チケット３６を本体部１４に収納して蓋部１６を閉じた様子を示す図である。この卓上カレンダー１０をお客様のリピート率の向上につなげたいと考える店舗や企業は、複数の月カレンダー１２の下部にイベント等の情報が記載された広告を設けるとともに、金券として用いることができるチケット３６を収納する。
【００２１】
複数の月カレンダー１２及びチケット３６が収納されて閉じられた卓上カレンダー１０は、このままの状態でお客様に手渡しでプレゼントすることができる。また、お客様に手渡しでプレゼントする以外にも、例えば、卓上カレンダー１０を透明袋に入れて、図２に示されるように運送会社のＤＭ便シールを貼り付けて、ＤＭとして送付することもできる。
【００２２】
この卓上カレンダー１０を受け取ったお客様は、この卓上カレンダー１０に入ったチケット３６を必ず手にするので、チケット３６を使用する確率が高まる。すなわち、リピート率の向上に寄与するという利点がある。なお、このチケット３６は、それだけを渡しただけでも効果が出ず、卓上カレンダー１０の中に一つ一つ入れておき、プレミアム感をより大きくすることで利用率を高める効果がある。
【００２３】
また、この卓上カレンダー１０は、チケット３６を取り出して使った後にも本来のカレンダーとして用いられる。１月〜１２月の各月に対応する月カレンダー１２は、その月の店舗又は企業のイベントなどの広告が下部に印刷されている。そして、お客様は、この卓上カレンダー１０を一日一回は目にするため、同じ人や物に接触する回数が増えれば増えるほど、それに対する好印象を持つようになるというザイオンス効果を発揮することでリピート率の向上に繋がるメリットがある。
【００２４】
さらに、卓上カレンダー１０は、透明袋に入れて、図２に示されるように、上記のように運送会社のＤＭ便シールを貼り付けて、そのまま送付することができる。この場合、このＤＭのめずらしい形状に驚かせることで開封を促し、さらにチケット３６が入っていることでお客様の行動を促進し、月カレンダー１２の広告部分で１年間を通して定期的に接触することができる。これらの総合的な効果によって、お客様のリピート率を極めて高めることができるという利点がある。
【符号の説明】
【００２５】
１０  卓上カレンダー、１２  月カレンダー、１４  本体部、１６  蓋部、１８  収納部、２０  載置面、２２  耳部、２４  回動支持部材、２６  平板部、２８  底面部、３０  表面、３２  側面、３４  上面、３６  チケット。
【図１】
0003200324.tif 000003
【図２】
0003200324.tif 000004